(57)【要約】      （修正有）【課題】工場空調、ビル空調あるいはガスタービン空調用吸気口あるいは排気口に取り付けられる自動巻取式エアフィルタに関し、型式、型番を大幅に少なくして書類、図面管理などの煩雑さをなくしたいと言った課題があった。【解決手段】全体が狭い略Uチャンネルをなした左、右支持枠と上部枠および底部枠からなる本体の左、右支持枠をそれぞれ２分割し、どちらか一方をスライドさせて左、右支持枠を伸縮自在とした自動巻取式エアフィルタを提供するものである。【選択図】図１
2014226624.tif 000002
【特許請求の範囲】
【請求項１】
全体が狭い略Uチャンネル状をなした左、右支持枠と上部枠および底部枠からなる本体の前後方向に開口する通風部にその全面を遮るようにろ材をセットし、ろ材のろ過面部で前方から送通される汚染空気をろ過集塵するようにした自動巻取式エアフィルタにおいて、本体の左、右支持枠をそれぞれ２分割し、どちらか一方をスライドさせて、左、右支持枠を伸縮自在としたことを特徴とする自動巻取式エアフィルタ。
【請求項２】
本体の左、右支持枠をガイド枠とスライド枠とから構成したことを特徴とする請求項１に記載の自動巻取式エアフィルタ。
【発明の詳細な説明】
【技術分野】
【０００１】
本発明は、工場空調、ビル空調あるいはガスタービン吸気用および排気用などとして、汚染空気をろ過集塵する自動巻取式エアフィルタに関するものである。
【背景技術】
【０００２】
一般に、この種の自動巻取式エアフィルタは、工場空調、ビル空調あるいはガスタービン空調用吸気口あるいは排気口に取り付けられ汚染空気をろ過集塵して清浄空気として供給したり、排気したりするために使用されている。
【０００３】
そして、その使用の態様は、工場空調、ビル空調あるいはガスタービン空調の機器の大きさ、空調設備の大きさに応じて吸気口あるいは排気口に自動巻取式エアフィルタの本体枠を取り付けねばならないため、本体枠の寸法が変わる毎に自動巻取式エアフィルタの型式、型番を変えねばならず、このため型式、型番が多くなり書類・図面管理などが煩雑となる問題が生じている。
【０００４】
また、自動巻取式エアフィルタの本体枠は空調用吸気口あるいは空調用ダクトの大きさに取り付ける必要があるため、空調用吸気口あるいは空調用ダクトの大きさが異なる毎に空調用吸気口あるいは空調用ダクトの大きさの寸法に設計せざるを得ず、標準化しにくく、そのためコスト的に高くなる懸念があった。また取り付けの際も若干の寸法が違っても取り付けられなくなり、作り直さざるを得ないといったことが生じて、この点から言っても無駄なコストがかかってしまうと言った懸念があった。
【０００５】
そこで、空調の機器の大きさ、空調設備の大きさに応じて、可変できるようにした自動巻取式エアフィルタの出現が期待されていた。
【０００６】
そこで、本発明は上記のような期待に沿った自動巻取式エアフィルタの本体を提供しょうとしたものである。
【発明の概要】
【発明が解決しょうとする課題】
【０００７】
本発明は上記のような問題点を解決しょうとしたもので、まず本発明の目的は、自動巻取式エアフィルタの型式、型番を少なくし書類・図面管理などを簡略化しょうとしたものである。
【０００８】
次に本発明の目的は、自動巻取式エアフィルタの型式、型番を標準化して、コストを安価にしょうとしたものである。
【０００９】
次に本発明の目的は、空調用取付枠あるいは空調用ダクトの大きさが異なっても、その大きさに自動巻取式エアフィルタを可変できるようにしたものである。
【００１０】
次に本発明の目的は、空調用取付枠あるいは空調用ダクトの大きさの寸法に若干合わなくても、自動巻取式エアフィルタ本体を伸縮して合わせることができるようにしたもので、作り直さざるを得ないといった無駄な経費をなくしたものである。
【課題を解決するための手段】
【００１１】
本発明の第１の解決手段は、自動巻取式エアフィルタ本体を全体が狭い略Uチャンネル状をなした左、右支持枠と上部枠および底部枠から構成したことである。
【００１２】
本発明の第２の解決手段は、本体の左、右支持枠をそれぞれ２分割し、どちらか一方をスライドさせて、左、右支持枠を伸縮自在としたことである。
【００１３】
本発明の第３の解決手段は、自動巻取式エアフィルタ本体の左、右支持枠をガイド枠とスライド枠とから構成したことである。
【００１４】
本発明の第４の解決手段は、自動巻取式エアフィルタ本体の前後方向に開口する通風部にその全面を遮るようにろ材をセットし、ろ材のろ過面部で前方から送通される汚染空気をろ過集塵するようにしたことである。
【００１５】
本発明の第５の解決手段は、本体の左、右支持枠をスライド枠とガイド枠とから構成したことである。
【００１６】
ここで、伸縮手段は例えば本体の左、右支持枠を、それぞれ上部のスライド枠と下部のガイド枠に２分割し、上部のスライド枠を下部のガイド枠にスライド可能に嵌装して、スライド枠を所望な位置までスライドさせて、位置決め固定のねじ止め手段により上部のスライド枠を下部のガイド枠に固定させることができる方法、あるいは上部のスライド枠に長手方向に切り込み溝を形成し、他方のガイド枠に前記切り込み溝が任意の位置で固定できるようにねじを取り付けて固定させる方法、あるいは上部のスライド側と下部のガイド枠の対向側面に長孔を形成し任意の位置でねじ止めし固定させる方法など種々の方法が考えられる。
【発明の効果】
【００１７】
上述したように、本発明の自動巻取式エアフィルタは次のような効果が得られる。
（１）   
本発明の自動巻取式エアフィルタは上下方向に伸縮可能であるので、１型番の機種で、幅広い用途に使用できる。したがって、その都度空調機器あるいは空調設備に対応させてその都度型番を選定するといった、厄介な作業が省かれる。
（２）   
上部枠と下部枠をスライド可能としているので、上下枠を引き延ばせば、枠全体が徐々に長なる。逆に上下枠を押し縮めれば枠全体が徐々に短かくなることから、上下枠の長い大型でなくとも、上下枠を長くすることができることから、運搬の際は枠全体を縮めれば取扱い安いと言った利便性がある取付時、運搬時の利便に寄与できる。
（３）   
特別な操作を要せず、上部枠と下部枠をスライドのみによって上下枠全体の長さを変えることができるばかりでなく、一旦伸長された上部枠あるいは下部枠は常時止め具によって引き延ばされた状態に維持されるため、上下枠は安定した状態を保持する効果を発揮する。
（４）   
異なる長さの空調用機器あるいは空調用設備に合わせて上下枠全体の長さを調整することができるといった利点がある。
【図面の簡単な説明】
【００１８】
【図１】本発明の全体を示す側面図で、本体の左、右支持枠を伸長した状態を示す図である。
【図２】図１の正面図である。
【図３】本体の左、右支持枠を縮小した状態を示す図である。
【発明を実施するための形態】
【００１９】
以下本発明の自動巻取式エアフィルタについて図面を参照して詳細に説明する。
【００２０】
（実施例）
１は自動巻取式エアフィルタの本体を示し、本体１は全体が狭い略Uチャンネル状をなした左、右支持枠２、３と上部枠４および底部枠５とから構成されている。さらに、左、右支持枠２、３はガイド枠６とスライド枠７とから構成され、スライド枠７を下部のガイド枠６にスライド可能に嵌装されている。そして、スライド枠７には長手方向の切り込み溝８が形成され、切り込み溝８がガイド枠６に取り付けた固定ねじ９を挟み込むようにスライドできるようになっている。そして、固定ねじ９によりスライド枠７を所望の位置で固定できるように形成されている。本体１の中央部には前後方向に大きく開口する通風部が形成されている。
【００２１】
この本体１の上部枠４にはろ材セット部９があり、ここにスプール１０を介してロール状に巻回したろ材１１がセットされる。その上部後方には繰り出しリール１２が設けられ、この上側を通して前記ろ材１１の先端が引き出されて垂直下方に本体１の通風部全面を遮るように繰り出される。その通風部に繰り出されたろ材１１のろ過面部で前方からこの通風部に送通されて来る汚染空気をろ過集塵し、これにて清浄化された空気は後方に通過させるようになっている。
【００２２】
また、本体１の下端の底部枠５には巻取リール１３と、この下側から前方に向けてテンションパネル１４が設けられ、更にその前端部に巻取スプール１５が取り付けられて、前記通風部に繰り出されたろ材１１の先端が下部巻取リール１３の下端を通してテンションパネル１４上面より巻取スプール１５に巻きつけられる。しかも、その本体１の底部枠５の外側部にはろ材巻取用電動機１６が取り付けられている。
【００２３】
そして、本体１の通風部に繰り出されたろ材１１のろ過面部に捕集ダストが多く付着堆積して圧損抵抗が所定値以上となると、そのろ材上流側と下流側との圧力差を検知している差圧検知器（図示せず）からの信号により、前記ろ材巻取用電動機１６が自動的に作動し、前記巻取スプール１５を矢印方向に回転駆動して、その巻取スプール１５に該使用済みろ材１１を一定量ずつ巻き取り、これにて通風部に上方からろ材１１の未使用部分を繰り出してろ過面部の更新を行いながら汚染空気のろ過集塵を続行する構成たされている。
【００２４】
次に、自動巻取式エアフィルタの本体を空調用吸気口に取り付け方法および自動巻取式エアフィルタの運転方法について説明する。
まず、空調用吸気口の大きさに合致するように、スライド枠７の切り込み溝８をガイド枠６に取り付けた固定ねじ９を挟み込むようにスライドさせ、スライド枠７を所望の位置まで伸縮するか縮小して固定ねじ９でガイド枠６に固定して自動巻取式エアフィルタの本体１を形成する。そして、この形状の本体１を空調用吸気口に適宜手段（図示せず）で取り付ける。
【００２５】
次に、自動巻取式エアフィルタの本体を空調用吸気口に取り付けた後、スプール１０にロール状に圧縮して巻き締めたろ材１１を繰り出し、繰り出しリール１２の上部を通しろ材１１を引き下ろす。
【００２６】
さらに、引き下ろされたろ材１１を巻取リール１３を介して巻取スプール１５で巻き取り、本体１の通風部にその前面を遮るようにろ材１１をセットする。
【００２７】
さらに、ろ材巻取用電動機１６の電源を入れることにより自動巻き取りが開始され、ろ材１１のろ過面部が性能上必要となるろ材１１厚みまで回復させられたまま、一定の張力が掛けられた状態で貼り付けられる。そして、一定の張力が掛けられた状態で、ろ過通風運転がおこなわれる。
【００２８】
なお、上記実施例では１実施例を述べただけで、種々変更しても何ら本発明の要旨を変更するものではない。
【産業上の利用可能性】
【００２９】
本発明は、工場、ビルあるいはガスタービン空調用吸気口あるいは排気口に取り付けられる自動巻取式エアフィルタに関し、型式、型番を大幅に少なくして書類、図面管理などの煩雑さをなくした実用性甚だ大なるものである。
【符号の説明】
【００３０】
１・・・本体        ２・・・左支持枠        ３・・・右支持枠
４・・・上部枠      ５・・・底部枠          ６・・・ガイド枠
７・・・スライド枠  ８・・・切り込み溝      ９・・・固定ねじ
１０・・・スプール  １１・・・ろ材        １２・・・繰り出しリール
１３・・・巻取リール      １４・・・テンションパネル
１５・・・巻取スプール
【図１】
2014226624.tif 000003
【図２】
2014226624.tif 000004
【図３】
2014226624.tif 000005